【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
出力電圧を生成するための出力トランジスタをオン・オフさせるための制御信号を生成するＰＷＭ比較回路を備えたＤＣ−ＤＣコンバータの制御回路の駆動方法において、
三角波発振回路が発振動作を開始するまで、前記出力トランジスタをオフ状態に保持するようにしたＤＣ−ＤＣコンバータの制御回路の駆動方法。
【請求項２】
出力電圧を生成するための出力トランジスタをオン・オフさせるための制御信号を生成するＰＷＭ比較回路を備えたＤＣ−ＤＣコンバータの制御回路の駆動方法において、
起動信号が入力されてから所定の期間、前記ＰＷＭ比較回路の入力をクランプするようにしたことを特徴とするＤＣ−ＤＣコンバータの制御回路の駆動方法。
【請求項３】
前記クランプされる入力は、基準電圧と前記出力電圧との差電圧の入力であること
を特徴とする請求項２に記載のＤＣ−ＤＣコンバータの制御回路の駆動方法。
【請求項４】
出力電圧を生成するために出力トランジスタをオン・オフさせるための制御信号を生成するＰＷＭ比較回路を備えたＤＣ−ＤＣコンバータの制御回路の駆動方法において、
初期の誤動作を防止する初期誤動作防止回路の動作可能な第１バイアス電圧が、前記ＰＷＭ比較回路に入力する三角波信号を発生させる三角波発振回路の動作可能な第２バイアス電圧よりも高いことを特徴とするＤＣ−ＤＣコンバータの制御回路の駆動方法。
【請求項５】
出力電圧を生成するために出力トランジスタをオン・オフさせるための制御信号を生成するＰＷＭ比較回路を備えたＤＣ−ＤＣコンバータの制御回路の駆動方法において、
三角波発振回路が発振動作を開始するまでは、誤差増幅回路及びＰＷＭ比較回路の少なくともいずれか一方の出力端子を接地するようにしたことを特徴とするＤＣ−ＤＣコンバータの制御回路の駆動方法。
【請求項６】
基準電圧と出力電圧を比較しその差電圧を増幅して誤差出力信号として出力する誤差増幅回路と、
三角波発振回路から出力される三角波信号と前記誤差出力信号とを比較した結果に基づいて出力トランジスタをオン・オフさせるための制御信号を生成するＰＷＭ比較回路と
を備えたＤＣ−ＤＣコンバータの制御回路において、
前記三角波発振回路が発振動作を開始するまで、前記出力トランジスタをオフ状態に保持するための保持回路を備えたことを特徴とするＤＣ−ＤＣコンバータの制御回路。
【請求項７】
前記保持回路は、
前記誤差増幅回路及びＰＷＭ比較回路の少なくともいずれか一方の出力端子とグランドとの間に接続され、前記三角波発振回路が発振動作を開始するまではオン状態となるショート用トランジスタを備えること
を特徴とする請求項６に記載のＤＣ−ＤＣコンバータの制御回路。
【請求項８】
前記保持回路は、
前記ショート用トランジスタを制御する制御信号を生成する初期誤動作防止回路を備えること
を特徴とする請求項７に記載のＤＣ−ＤＣコンバータの制御回路。
【請求項９】
三角波発振回路から出力される三角波信号と誤差出力信号とを比較した結果に基づいて出力トランジスタをオン・オフさせるための制御信号を生成するＰＷＭ比較回路を備えたＤＣ−ＤＣコンバータの制御回路において、
起動信号が入力されてから所定の期間、前記ＰＷＭ比較回路の入力をクランプするようにしたことを特徴とするＤＣ−ＤＣコンバータの制御回路。
【請求項１０】
三角波発振回路から出力される三角波信号と誤差出力信号とを比較した結果に基づいて出力トランジスタをオン・オフさせるための制御信号を生成するＰＷＭ比較回路を備えたＤＣ−ＤＣコンバータの制御回路において、
初期の誤動作を防止する初期誤動作防止回路の動作可能な第１バイアス電圧が、前記三角波発振回路の動作可能な第２バイアス電圧よりも高いことを特徴とするＤＣ−ＤＣコンバータの制御回路。
【請求項１１】
基準電圧と出力電圧を比較しその差電圧を増幅して誤差出力信号として出力する誤差増幅回路と、
三角波発振回路から出力される三角波信号と前記誤差出力信号とを比較した結果に基づいて出力トランジスタをオン・オフさせるための制御信号を生成するＰＷＭ比較回路と
を備えたＤＣ−ＤＣコンバータの制御回路において、
基準電圧を生成する基準電圧生成回路と、
前記基準電圧生成回路が生成する基準電圧が前記規定電圧値に到達したか否かを判定する基準電圧判定回路と、
前記基準電圧判定回路にて基準電圧が規定電圧値に対していないと判断されている間は、前記出力トランジスタをオフ状態にする停止回路と
を備えることを特徴とするＤＣ−ＤＣコンバータの制御回路。
【請求項１２】
前記停止回路は、
前記誤差増幅回路の出力端子とグランドとの間に接続したショート用トランジスタを備えること
を特徴とする請求項１１に記載のＤＣ−ＤＣコンバータの制御回路。
【請求項１３】
出力コイルとコンデンサからなる平滑回路と、
オン・オフ動作して前記平滑回路を介して出力端子に出力電圧を供給する出力トランジスタと、
基準電圧と前記出力電圧を比較しその差電圧を増幅して誤差出力信号として出力する誤差増幅回路と、
三角波発振回路から出力される三角波信号と前記誤差出力信号とを比較した結果に基づいて前記出力トランジスタをオン・オフさせるための制御信号を生成するＰＷＭ比較回路と
を備えたＤＣ−ＤＣコンバータにおいて、
前記三角波発振回路が発振動作を開始するまで、前記出力トランジスタをオフ状態に保持するための保持回路を備えること
を特徴とするＤＣ−ＤＣコンバータ。
【請求項１４】
前記保持回路は、
前記誤差増幅回路及び前記ＰＷＭ比較回路の少なくともいずれか一方の出力端子と
グランドとの間に接続したショート用トランジスタを備えること
を特徴とする請求項１３に記載のＤＣ−ＤＣコンバータ。
【請求項１５】
基準電圧と前記出力電圧を比較しその差電圧を増幅して誤差出力信号として出力する誤差増幅回路と、
三角波発振回路から出力される三角波信号と前記誤差出力信号とを比較した結果に基づいて前記出力トランジスタをオン・オフさせるための制御信号を生成するＰＷＭ比較回路と
を備えた制御回路を複数個有したＤＣ−ＤＣコンバータにおいて、
前記各制御回路に対してそれぞれ対応する出力トランジスタを駆動制御させるための出力制御信号が全て出力されるまで、前記出力トランジスタをオフ状態に保持するための保持回路を備えること
を特徴とするＤＣ−ＤＣコンバータ。
【請求項１６】
前記保持回路は、
前記誤差増幅回路及び前記ＰＷＭ比較回路の少なくともいずれか一方の出力端子とグランドとの間に接続されたショート用トランジスタを備えること
を特徴とする請求項１５に記載のＤＣ−ＤＣコンバータ。
【請求項１７】
出力コイルとコンデンサからなる平滑回路と、
オン・オフ動作して前記平滑回路を介して出力端子に出力電圧を供給する出力トランジスタと、
基準電圧と前記出力電圧を比較しその差電圧を増幅して誤差出力信号として出力する誤差増幅回路と、
三角波発振回路から出力される三角波信号と前記誤差出力信号とを比較した結果に基づいて前記出力トランジスタをオン・オフさせるための制御信号を生成するＰＷＭ比較回路と
を備えたＤＣ−ＤＣコンバータにおいて、
起動信号が入力されてから所定の期間、前記ＰＷＭ比較回路の入力をクランプするようにしたことを特徴とするＤＣ−ＤＣコンバータ。
【請求項１８】
出力コイルとコンデンサからなる平滑回路と、
オン・オフ動作して前記平滑回路を介して出力端子に出力電圧を供給する出力トランジスタと、
基準電圧と前記出力電圧を比較しその差電圧を増幅して誤差出力信号として出力する誤差増幅回路と、
三角波発振回路から出力される三角波信号と前記誤差出力信号とを比較した結果に基づいて前記出力トランジスタをオン・オフさせるための制御信号を生成するＰＷＭ比較回路と
を備えたＤＣ−ＤＣコンバータにおいて、
初期の誤動作を防止する初期誤動作防止回路の動作可能な第１バイアス電圧が、前記三角波発振回路の動作可能な第２バイアス電圧よりも高いことを特徴とするＤＣ−ＤＣコンバータ。
【請求項１９】
請求項１３乃至１８のいずれか１に記載のＤＣ−ＤＣコンバータを備えた電子機器。
【手続補正２】
【補正対象書類名】明細書
【補正対象項目名】００４０
【補正方法】変更
【補正の内容】
【００４０】
【課題を解決するための手段】
請求項１に記載の発明は、出力電圧を生成するための出力トランジスタをオン・オフさせるための制御信号を生成するＰＷＭ比較回路を備えたＤＣ−ＤＣコンバータの制御回路の駆動方法において、前記三角波発振回路が発振動作を開始するまで、前記出力トランジスタをオフ状態に保持するようにした。
【手続補正３】
【補正対象書類名】明細書
【補正対象項目名】００４１
【補正方法】変更
【補正の内容】
【００４１】
請求項２に記載の発明は、出力電圧を生成するための出力トランジスタをオン・オフさせるための制御信号を生成するＰＷＭ比較回路を備えたＤＣ−ＤＣコンバータの制御回路の駆動方法において、起動信号が入力されてから所定の期間、前記ＰＷＭ比較回路の入力をクランプするようにした。
【手続補正４】
【補正対象書類名】明細書
【補正対象項目名】００４２
【補正方法】変更
【補正の内容】
【００４２】
請求項３に記載の発明は、請求項２に記載のＤＣ−ＤＣコンバータの制御回路の駆動方法において、前記クランプされる入力は、基準電圧と前記出力電圧との差電圧の入力である。
請求項４に記載の発明は、出力電圧を生成するために出力トランジスタをオン・オフさせるための制御信号を生成するＰＷＭ比較回路を備えたＤＣ−ＤＣコンバータの制御回路の駆動方法において、初期の誤動作を防止する初期誤動作防止回路の動作可能な第１バイアス電圧が、前記ＰＷＭ比較回路に入力する三角波信号を発生させる三角波発振回路の動作可能な第２バイアス電圧よりも高いものである。
【手続補正５】
【補正対象書類名】明細書
【補正対象項目名】００４３
【補正方法】変更
【補正の内容】
【００４３】
請求項５に記載の発明は、出力電圧を生成するために出力トランジスタをオン・オフさせるための制御信号を生成するＰＷＭ比較回路を備えたＤＣ−ＤＣコンバータの制御回路の駆動方法において、三角波発振回路が発振動作を開始するまでは、誤差増幅回路及びＰＷＭ比較回路の少なくともいずれか一方の出力端子を接地するようにした。
【手続補正６】
【補正対象書類名】明細書
【補正対象項目名】００４４
【補正方法】変更
【補正の内容】
【００４４】
請求項６に記載の発明は、基準電圧と出力電圧を比較しその差電圧を増幅して誤差出力信号として出力する誤差増幅回路と、三角波発振回路から出力される三角波信号と前記誤差出力信号とを比較した結果に基づいて出力トランジスタをオン・オフさせるための制御信号を生成するＰＷＭ比較回路とを備えたＤＣ−ＤＣコンバータの制御回路において、前記三角波発振回路が発振動作を開始するまで、前記出力トランジスタをオフ状態に保持するための保持回路を備えた。
【手続補正７】
【補正対象書類名】明細書
【補正対象項目名】００４５
【補正方法】変更
【補正の内容】
【００４５】
請求項７に記載の発明は、請求項６に記載のＤＣ−ＤＣコンバータの制御回路において、前記保持回路は、前記誤差増幅回路及びＰＷＭ比較回路の少なくともいずれか一方の出力端子とグランドとの間に接続され、前記三角波発振回路が発振動作を開始するまではオン状態となるショート用トランジスタを備えた。
【手続補正８】
【補正対象書類名】明細書
【補正対象項目名】００４６
【補正方法】変更
【補正の内容】
【００４６】
請求項８に記載の発明は、請求項７に記載のＤＣ−ＤＣコンバータの制御回路において、前記保持回路は、前記ショート用トランジスタを制御する制御信号を生成する初期誤動作防止回路を備えた。
請求項９に記載の発明は、三角波発振回路から出力される三角波信号と誤差出力信号とを比較した結果に基づいて出力トランジスタをオン・オフさせるための制御信号を生成するＰＷＭ比較回路を備えたＤＣ−ＤＣコンバータの制御回路において、起動信号が入力されてから所定の期間、前記ＰＷＭ比較回路の入力をクランプするようにした。 
【手続補正９】
【補正対象書類名】明細書
【補正対象項目名】００４７
【補正方法】変更
【補正の内容】
【００４７】
請求項１０に記載の発明は、三角波発振回路から出力される三角波信号と誤差出力信号とを比較した結果に基づいて出力トランジスタをオン・オフさせるための制御信号を生成するＰＷＭ比較回路を備えたＤＣ−ＤＣコンバータの制御回路において、初期の誤動作を防止する初期誤動作防止回路の動作可能な第１バイアス電圧が、前記三角波発振回路の動作可能な第２バイアス電圧よりも高いものである。
【手続補正１０】
【補正対象書類名】明細書
【補正対象項目名】００４８
【補正方法】変更
【補正の内容】
【００４８】
請求項１１に記載の発明は、基準電圧と出力電圧を比較しその差電圧を増幅して誤差出力信号として出力する誤差増幅回路と、三角波発振回路から出力される三角波信号と前記誤差出力信号とを比較した結果に基づいて出力トランジスタをオン・オフさせるための制御信号を生成するＰＷＭ比較回路とを備えたＤＣ−ＤＣコンバータの制御回路において、基準電圧を生成する基準電圧生成回路と、前記基準電圧生成回路が生成する基準電圧が前記規定電圧値に到達したか否かを判定する基準電圧判定回路と、前記基準電圧判定回路にて基準電圧が規定電圧値に対していないと判断されている間は、前記出力トランジスタをオフ状態にする停止回路とを備えた。
【手続補正１１】
【補正対象書類名】明細書
【補正対象項目名】００４９
【補正方法】変更
【補正の内容】
【００４９】
請求項１２に記載の発明は、請求項１１に記載のＤＣ−ＤＣコンバータの制御回路において、前記停止回路は前記誤差増幅回路の出力端子とグランドとの間に接続したショート用トランジスタを備えている。
【手続補正１２】
【補正対象書類名】明細書
【補正対象項目名】００５０
【補正方法】変更
【補正の内容】
【００５０】
請求項１３に記載の発明は、出力コイルとコンデンサからなる平滑回路と、オン・オフ動作して前記平滑回路を介して出力端子に出力電圧を供給する出力トランジスタと、基準電圧と前記出力電圧を比較しその差電圧を増幅して誤差出力信号として出力する誤差増幅回路と、三角波発振回路から出力される三角波信号と前記誤差出力信号とを比較した結果に基づいて前記出力トランジスタをオン・オフさせるための制御信号を生成するＰＷＭ比較回路とを備えたＤＣ−ＤＣコンバータにおいて、前記三角波発振回路が発振動作を開始するまで、前記出力トランジスタをオフ状態に保持するための保持回路を備えた。
【手続補正１３】
【補正対象書類名】明細書
【補正対象項目名】００５１
【補正方法】変更
【補正の内容】
【００５１】
請求項１４に記載の発明は、請求項１３に記載のＤＣ−ＤＣコンバータにおいて、前記保持回路は、前記誤差増幅回路及び前記ＰＷＭ比較回路の少なくともいずれか一方の出力端子とグランドとの間に接続したショート用トランジスタを備えた。
【手続補正１４】
【補正対象書類名】明細書
【補正対象項目名】００５２
【補正方法】変更
【補正の内容】
【００５２】
請求項１５に記載の発明は、基準電圧と前記出力電圧を比較しその差電圧を増幅して誤差出力信号として出力する誤差増幅回路と、三角波発振回路から出力される三角波信号と前記誤差出力信号とを比較した結果に基づいて前記出力トランジスタをオン・オフさせるための制御信号を生成するＰＷＭ比較回路とを備えた制御回路を複数個有したＤＣ−ＤＣコンバータにおいて、前記各制御回路に対してそれぞれ対応する出力トランジスタを駆動制御させるための出力制御信号が全て出力されるまで、前記出力トランジスタをオフ状態に保持するための保持回路を備えた。
【手続補正１５】
【補正対象書類名】明細書
【補正対象項目名】００５３
【補正方法】変更
【補正の内容】
【００５３】
請求項１６に記載の発明は、請求項１５に記載のＤＣ−ＤＣコンバータにおいて、前記保持回路は、前記誤差増幅回路及び前記ＰＷＭ比較回路の少なくともいずれか一方の出力端子とグランドとの間に接続されたショート用トランジスタを備えた。
【手続補正１６】
【補正対象書類名】明細書
【補正対象項目名】００５４
【補正方法】変更
【補正の内容】
【００５４】
請求項１７に記載の発明は、出力コイルとコンデンサからなる平滑回路と、オン・オフ動作して前記平滑回路を介して出力端子に出力電圧を供給する出力トランジスタと、基準電圧と前記出力電圧を比較しその差電圧を増幅して誤差出力信号として出力する誤差増幅回路と、三角波発振回路から出力される三角波信号と前記誤差出力信号とを比較した結果に基づいて前記出力トランジスタをオン・オフさせるための制御信号を生成するＰＷＭ比較回路とを備えたＤＣ−ＤＣコンバータにおいて、起動信号が入力されてから所定の期間、前記ＰＷＭ比較回路の入力をクランプするようにした。
【手続補正１７】
【補正対象書類名】明細書
【補正対象項目名】００５５
【補正方法】変更
【補正の内容】
【００５５】
請求項１８に記載の発明は、出力コイルとコンデンサからなる平滑回路と、オン・オフ動作して前記平滑回路を介して出力端子に出力電圧を供給する出力トランジスタと、基準電圧と前記出力電圧を比較しその差電圧を増幅して誤差出力信号として出力する誤差増幅回路と、三角波発振回路から出力される三角波信号と前記誤差出力信号とを比較した結果に基づいて前記出力トランジスタをオン・オフさせるための制御信号を生成するＰＷＭ比較回路とを備えたＤＣ−ＤＣコンバータにおいて、初期の誤動作を防止する初期誤動作防止回路の動作可能な第１バイアス電圧が、前記三角波発振回路の動作可能な第２バイアス電圧よりも高いものである。
【手続補正１８】
【補正対象書類名】明細書
【補正対象項目名】００５６
【補正方法】変更
【補正の内容】
【００５６】
請求項１９に記載の発明は、請求項１３乃至１８のいずれか１に記載のＤＣ−ＤＣコンバータを備えた電子機器である。
（作用）
請求項１の発明によれば、出力トランジスタは三角波発振回路が発振動作を開始するまでオフ状態に保持される。従って、ＤＣ−ＤＣコンバータはソフトスタートを確実に実行することができ、安定した出力電圧を供給することができる。
【手続補正１９】
【補正対象書類名】明細書
【補正対象項目名】００５７
【補正方法】変更
【補正の内容】
【００５７】
請求項２の発明によれば、起動信号が入力されてから所定の期間、前記ＰＷＭ比較回路の入力がクランプされる。従って、ＤＣ−ＤＣコンバータはソフトスタートを確実に実行することができ、安定した出力電圧を供給することができる。
【手続補正２０】
【補正対象書類名】明細書
【補正対象項目名】００５８
【補正方法】変更
【補正の内容】
【００５８】
請求項３の発明によれば、基準電圧と前記出力電圧との差電圧の入力がクランプされるため、ＰＷＭ比較回路の制御信号は消失される。従って、ＤＣ−ＤＣコンバータはソフトスタートを確実に実行することができ、安定した出力電圧を供給することができる。
【手続補正２１】
【補正対象書類名】明細書
【補正対象項目名】００５９
【補正方法】変更
【補正の内容】
【００５９】
請求項４の発明によれば、第１バイアス電圧が第２バイアス電圧より高いので初期の誤動作を防止する初期誤動作防止回路の動作後に三角波信号を発生させる三角波発振回路が動作するため、ＤＣ−ＤＣコンバータはソフトスタートを確実に実行することができ、安定した出力電圧を供給することができる。
【手続補正２２】
【補正対象書類名】明細書
【補正対象項目名】００６０
【補正方法】変更
【補正の内容】
【００６０】
請求項５の発明によれば、三角波発振回路が発振動作を開始するまで誤差増幅回路及びＰＷＭ比較回路の少なくともいずれか一方の出力端子が接地され、制御信号は消失される。従って、ＤＣ−ＤＣコンバータはソフトスタートを確実に実行することができ、安定した出力電圧を供給することができる。
【手続補正２３】
【補正対象書類名】明細書
【補正対象項目名】００６１
【補正方法】変更
【補正の内容】
【００６１】
請求項６の発明によれば、保持回路は、出力トランジスタを三角波発振回路が発振動作を開始するまでオフ状態に保持する。その結果、ＤＣ−ＤＣコンバータはソフトスタートを確実に実行することができ、安定した出力電圧を供給することができる。
【手続補正２４】
【補正対象書類名】明細書
【補正対象項目名】００６２
【補正方法】変更
【補正の内容】
【００６２】
請求項７の発明によれば、保持回路はショート用トランジスタを備え、三角波発振回路が発振動作を開始するまでショート用トランジスタが誤差増幅回路及びＰＷＭ比較回路の少なくともいずれか一方の出力端子を接地するため制御信号は消失される。従って、ＤＣ−ＤＣコンバータはソフトスタートを確実に実行することができ、安定した出力電圧を供給することができる。
【手続補正２５】
【補正対象書類名】明細書
【補正対象項目名】００６３
【補正方法】変更
【補正の内容】
【００６３】
請求項８の発明によれば、ショート用トランジスタは保持回路に備えられた初期誤動作防止回路にて制御され、三角波発振回路が発振動作を開始するまでは誤差増幅回路及びＰＷＭ比較回路の少なくともいずれか一方の制御信号は消失される。従って、ＤＣ−ＤＣコンバータはソフトスタートを確実に実行することができ、安定した出力電圧を供給することができる。
【手続補正２６】
【補正対象書類名】明細書
【補正対象項目名】００６４
【補正方法】変更
【補正の内容】
【００６４】
請求項９の発明によれば、起動信号が入力されてから所定の期間、前記ＰＷＭ比較回路の入力がクランプされる。その結果、ＤＣ−ＤＣコンバータはソフトスタートを確実に実行することができ、安定した出力電圧を供給することができる。
【手続補正２７】
【補正対象書類名】明細書
【補正対象項目名】００６５
【補正方法】変更
【補正の内容】
【００６５】
請求項１０の発明によれば、第１バイアス電圧が第２バイアス電圧より高いので初期の誤動作を防止する初期誤動作防止回路の動作後に三角波信号を発生させる三角波発振回路が動作するため、ＤＣ−ＤＣコンバータはソフトスタートを確実に実行することができ、安定した出力電圧を供給することができる。
【手続補正２８】
【補正対象書類名】明細書
【補正対象項目名】００６６
【補正方法】変更
【補正の内容】
【００６６】
請求項１１の発明によれば、基準電圧生成回路が生成する基準電圧が規定電圧値に到達していないと判定されている間は、停止回路にて出力トランジスタはオフ状態に制御されている。従って、ＤＣ−ＤＣコンバータはソフトスタートを確実に実行することができ、安定した出力電圧を供給することができる。
請求項１２の発明によれば、基準電圧生成回路が生成する基準電圧が規定電圧値に到達していないと判定されている間は、シュート用トランジスタにより誤差増幅回路の誤差出力信号が消失されて出力トランジスタはオフ状態に制御されている。従って、ＤＣ−ＤＣコンバータはソフトスタートを確実に実行することができ、安定した出力電圧を供給することができる。
【手続補正２９】
【補正対象書類名】明細書
【補正対象項目名】００６７
【補正方法】変更
【補正の内容】
【００６７】
請求項１３の発明によれば、出力トランジスタは三角波発振回路が発振動作を開始するまでオフ状態に保持される。従って、ＤＣ−ＤＣコンバータはソフトスタートを確実に実行することができ、安定した出力電圧を供給することができる。
【手続補正３０】
【補正対象書類名】明細書
【補正対象項目名】００６８
【補正方法】変更
【補正の内容】
【００６８】
請求項１４の発明によれば、保持回路はショート用トランジスタを備え、三角波発振回路が発振動作を開始するまでショート用トランジスタが誤差増幅回路及びＰＷＭ比較回路の少なくともいずれか一方の出力端子を接地するため制御信号は消失される。従って、ＤＣ−ＤＣコンバータはソフトスタートを確実に実行することができ、安定した出力電圧を供給することができる。
【手続補正３１】
【補正対象書類名】明細書
【補正対象項目名】００６９
【補正方法】変更
【補正の内容】
【００６９】
請求項１５の発明によれば、各制御回路に対してそれぞれ対応する出力トランジスタを駆動制御させるための出力制御信号が全て出力されるまで、保持回路は出力トランジスタをオフ状態に保持することから、誤差増幅回路及びＰＷＭ比較回路による制御が停止される。従って、複数の半導体集積回路装置に対して安定した出力電圧の投入タイミングを制御でき投入タイミングのずれによる各半導体集積回路装置との間で誤動作を防止することができる。
【手続補正３２】
【補正対象書類名】明細書
【補正対象項目名】００７０
【補正方法】変更
【補正の内容】
【００７０】
請求項１６の発明によれば、保持回路はショート用トランジスタを備え、三角波発振回路が発振動作を開始するまでショート用トランジスタが誤差増幅回路及びＰＷＭ比較回路の少なくともいずれか一方の出力端子を接地するため制御信号は消失される。従って、ＤＣ−ＤＣコンバータはソフトスタートを確実に実行することができ、安定した出力電圧を供給することができる。
【手続補正３３】
【補正対象書類名】明細書
【補正対象項目名】００７１
【補正方法】変更
【補正の内容】
【００７１】
請求項１７の発明によれば、起動信号が入力されてから所定の期間、前記ＰＷＭ比較回路の入力がクランプされる。従って、ＤＣ−ＤＣコンバータはソフトスタートを確実に実行することができ、安定した出力電圧を供給することができる。
【手続補正３４】
【補正対象書類名】明細書
【補正対象項目名】００７２
【補正方法】変更
【補正の内容】
【００７２】
請求項１８の発明によれば、第１バイアス電圧が第２バイアス電圧より高いので初期の誤動作を防止する初期誤動作防止回路の動作後に三角波信号を発生させる三角波発振回路が動作するため、ＤＣ−ＤＣコンバータはソフトスタートを確実に実行することができ、安定した出力電圧を供給することができる。
【手続補正３５】
【補正対象書類名】明細書
【補正対象項目名】００８０
【補正方法】変更
【補正の内容】
【００８０】
今、駆動電源電圧Ｖｃｃが制御回路２内の各回路１１〜１３，１５，１７，１８に供給された状態で、基準電圧生成回路１１に外部装置から供給される起動信号としてのコントロール信号ＳＧ２がＬレベルの時、ＤＣ−ＤＣコンバータ１は動作を停止している。
【手続補正３６】
【補正対象書類名】明細書
【補正対象項目名】０１００
【補正方法】変更
【補正の内容】
【０１００】
次に、上記のように構成したＤＣ−ＤＣコンバータ１の作用について説明する。
今、駆動電源電圧Ｖｃｃが制御回路２内の各回路１１〜１３，１５，１７，１８４２に供給された状態で、基準電圧生成回路１１に外部装置から供給されるコントロール信号ＳＧ２がＬレベルの時、ＤＣ−ＤＣコンバータ１は動作を停止している。従って、基準電圧生成回路１１の基準電圧Ｖｒｅｆは０ボルトである。その結果、誤差増幅回路１５、ＰＷＭ比較回路１７及び出力回路１８は動作を停止している。又、三角波発振回路１３及びデットタイム回路１４も動作を停止している。
【手続補正３７】
【補正対象書類名】明細書
【補正対象項目名】０１０５
【補正方法】変更
【補正の内容】
【０１０５】
やがて、基準電圧Ｖｒｅｆが初期誤動作防止回路１２の動作を可能にするバイアス電圧まで到達すると、初期誤動作防止回路１２はＬレベルの解除信号ＳＧ３を出力する。このＬレベルの解除信号ＳＧ３に応答して第２トランジスタ２０はオフする。この時、ＰＷＭ比較回路１７は、まだ三角波発振回路１３が発振動作を開始していないことと、誤差出力信号ＳＧ６が０ボルトに保持されていることにより、Ｌレベルのデューティ制御信号ＳＧ７を出力している。
【手続補正３８】
【補正対象書類名】明細書
【補正対象項目名】０１２９
【補正方法】変更
【補正の内容】
【０１２９】
やがて、基準電圧Ｖｒｅｆが初期誤動作防止回路１２の動作を可能にするバイアス電圧まで到達すると、初期誤動作防止回路１２はＬレベルの解除信号ＳＧ３を出力する。このＬレベルの解除信号ＳＧ３に応答して第２トランジスタ２０はオフする。この時、ＰＷＭ比較回路１７は、まだ三角波発振回路１３が発振動作を開始していないことと、誤差出力信号ＳＧ６が０ボルトに保持されていることにより、Ｌレベルのデューティ制御信号ＳＧ７を出力している。
【手続補正３９】
【補正対象書類名】明細書
【補正対象項目名】０１５０
【補正方法】変更
【補正の内容】
【０１５０】
【発明の効果】
請求項１〜１８に記載の発明によれば、ＤＣ−ＤＣコンバータおけるソフトスタートを確実に実行することができるとともに安定した出力電圧を供給することができる。
【手続補正４０】
【補正対象書類名】明細書
【補正対象項目名】０１５１
【補正方法】変更
【補正の内容】
【０１５１】
請求項１５及び１６に記載の発明によれば、複数の半導体集積回路装置に対して安定した出力電圧の投入タイミングを制御でき、投入タイミングのずれによる各半導体集積回路装置との間で誤動作を防止することができる。